(57)【要約】【課題】電子線照射滅菌による絶縁破壊の発生を効果的に防止する。【解決手段】筒状容器９と、中空糸膜３の束と、筒状容器９の両端部に設けられている、流体の出入口となるノズル４、５を有するヘッダーと、筒状容器９の側面部に設けられている流体の出入口となるポート６、７と、ノズル４、５及び前記ポート６、７に、それぞれ着脱自在に取り付けられている栓体２０、３０とを具備し、  前記中空糸膜３の内表面と、前記ヘッダーの内表面との間に第１の空間１１を、  前記中空糸膜３の外表面と、前記筒状容器の内表面との間に第２の空間１２を、それぞれ有し、  前記第１の空間１１と筒状容器の外部との間１０ａ、及び／又は、前記第２の空間１２と筒状容器の外部１０ａとの間に、それぞれ栓体を介して連通路が形成されており、包装袋１０に収納された状態で電子線照射による滅菌処理が施されている中空糸膜型医療用具１。【選択図】図１
2013059498.tif 000002
【特許請求の範囲】
【請求項１】
筒状容器と、
当該筒状容器に装填された中空糸膜の束と、
当該中空糸膜の束を、前記筒状容器の両端部で包埋固定しているポッティング樹脂と、
前記筒状容器の両端部に設けられている、流体の出入口となるノズルを有するヘッダーと、
前記筒状容器の側面部に設けられている、流体の出入口となるポートと、
前記ノズル及び前記ポートに、それぞれ着脱自在に取り付けられている栓体と、
を、具備し、
前記中空糸膜の内表面と、前記ヘッダーの内表面との間に第１の空間を、
前記中空糸膜の外表面と、前記筒状容器の内表面との間に第２の空間を、
それぞれ有し、
前記第１の空間と筒状容器の外部との間、及び／又は、前記第２の空間と筒状容器の外部との間に、それぞれ栓体を介して連通路が形成されており、
包装袋に収納された状態で電子線照射による滅菌処理が施されている中空糸膜型医療用具。
【請求項２】
前記連通路が、前記栓体と前記ノズルとの間の空隙、及び／又は前記栓体と前記ポートとの間の空隙により形成されている、請求項１に記載の中空糸膜型医療用具。
【請求項３】
前記連通路が、前記栓体の貫通孔により形成されている請求項１に記載の中空糸膜型医療用具。
【請求項４】
前記連通路が、前記栓体と前記ノズルとの間の空隙、及び／又は前記栓体と前記ポートとの間の空隙、並びに前記栓体の貫通孔により形成されている請求項１に記載の中空糸膜型医療用具。
【請求項５】
絶縁性材料で成型された内空部を有する容器と、
前記内空部に装填された濾材と、
前記内空部を形成する容器壁面部に設けられ、前記容器内に流体を流入させる入口部と、
前記内空部を形成する容器壁面部に設けられ、前記容器外に流体を流出させる出口部と、
を具備し、
前記入口部及び出口部に、着脱自在に取り付けられている栓体を具備し、
前記栓体は、前記入口部及び／又は出口部との間に空隙を有しているか、当該栓体に貫通孔が形成されているか、少なくともいずれかの構成を有しており、前記空隙及び／又は貫通孔により、前記容器の内空部と外部とが連通しており、
包装袋に収納された状態で電子線照射による滅菌処理が施されている医療用具。
【発明の詳細な説明】
【技術分野】
【０００１】
本発明は、中空糸膜型医療用具及び医療用具に関する。
【背景技術】
【０００２】
近年、筒状容器の内空部に濾材を具備する医療用具が血液浄化用の医療機器として用いられており、特に、中空糸膜を具備するものが多用されている。
例えば、慢性腎不全患者の血液透析療法に用いられる人工腎臓、患者の血漿を廃棄して新鮮凍結血漿やアルブミン溶液と置換する血漿交換療法に用いられる血漿分離器、患者の血漿中の高分子量物質を除去する二重濾過血漿交換療法に用いられる血漿分画器等に中空糸膜型医療用具が多用されている。
【０００３】
前記中空糸膜型医療用具は、血液等、患者の体液と接触する医療用具であるため、使用の際には滅菌処理が施されている必要がある。
滅菌処理方法としては、例えば、熱滅菌、化学滅菌、照射滅菌、電子線滅菌等が挙げられるが、特に電子線滅菌は、熱滅菌のように高温にさらされたり、化学滅菌のように薬剤が医療用具に残留したりすることも無く、また、前記照射滅菌のうちのγ線滅菌のように放射性物質を大量に保管する必要も無いので、有用性の高い滅菌方法として知られている（例えば、特許文献１参照。）。
【０００４】
一方において、電子線はγ線と比較して透過力が小さく、その透過距離は照射対象である物質の密度及び電子線のエネルギーに依存する。よって電子線滅菌工程においては、照射対象の構成材料としてポリオレフィン系樹脂等の絶縁性の高分子材料を使用すると、電子線の照射により内部に電子が補足され、一定以上の電荷が蓄積されると絶縁破壊が生じるという問題がある。
かかる問題に対して、従来においては、照射対象の材料中に所定のアニオン系界面活性剤を含有させることにより、電荷をアニオン基で中和して絶縁破壊を防止する技術（例えば、特許文献２参照）や、照射対象を、照射電子線の最大飛程に位置する内層とその外層からなる複数層構成とし、前記内層の体積抵抗率を外層の体積抵抗率よりも小さくし、前記最大飛程に集まった電荷を移動させやすくすることにより絶縁破壊を防止する技術（例えば、特許文献３参照。）が提案されている。
【先行技術文献】
【特許文献】
【０００５】
【特許文献１】特開２０００−３２５４３４号公報
【特許文献２】特開２０００−００１５６１号公報
【特許文献３】特開２００１−３２４６５６号公報
【発明の概要】
【発明が解決しようとする課題】
【０００６】
しかしながら、中空糸膜型医療用具等の、主に絶縁性材料で成型された筒状容器中に濾材が装填されている構成の各種医療用具は、形状が複雑で、かつ全体として高密度であり、しかも部位によって密度が異なるものであるため、電子線滅菌工程において電荷が蓄積しやすく、部位によって電荷の蓄積の度合いが異なる場合もある。
一方において医療用具として要求される無菌性を確実に達成するためには、より高い線量の電子線を照射して確実に滅菌を行うことが必要となる傾向がある。
【０００７】
例えば、中空糸膜型医療用具を電子線照射滅菌する場合、一般的には１５〜２５ｋＧｙ程度の線量とされているが、形状が複雑で、部位によって密度が異なるため、無菌性を確実に達成するため３５ｋＧｙ以上の高い線量の電子線を照射し、また、絶縁破壊を確実に防止しながら、滅菌処理を行う必要がある。
【０００８】
そこで本発明においては、上述したような従来技術の問題点に鑑み、高い線量の電子線照射による滅菌処理を行っても、絶縁破壊の発生を効果的に防止できる医療用具、特に中空糸膜型医療用具を提供することを目的とする。
【課題を解決するための手段】
【０００９】
本発明者らは、上記従来技術の課題を解決するため鋭意研究を重ねた結果、医療用具、特に中空糸膜型医療用具を構成する流体の出口及び／又は入口に取り付ける栓体について検討し、当該栓体を介して内部と外部とを連通させる構成とすることにより、絶縁破壊の発生を効果的に防止できることを見出し、本発明を得るに至った。
すなわち、本発明は以下の通りである。
【００１０】
〔１〕
筒状容器と、
当該筒状容器に装填された中空糸膜の束と、
当該中空糸膜の束を、前記筒状容器の両端部で包埋固定しているポッティング樹脂と、
前記筒状容器の両端部に設けられている、流体の出入口となるノズルを有するヘッダーと、
前記筒状容器の側面部に設けられている、流体の出入口となるポートと、
前記ノズル及び前記ポートに、それぞれ着脱自在に取り付けられている栓体と、
を、具備し、
前記中空糸膜の内表面と、前記ヘッダーの内表面との間に第１の空間を、
前記中空糸膜の外表面と、前記筒状容器の内表面との間に第２の空間を、
それぞれ有し、
前記第１の空間と筒状容器の外部との間、及び／又は、前記第２の空間と筒状容器の外部との間に、それぞれ栓体を介して連通路が形成されており、
包装袋に収納された状態で電子線照射による滅菌処理が施されている中空糸膜型医療用具。
〔２〕
前記連通路が、前記栓体と前記ノズルとの間の空隙、及び／又は前記栓体と前記ポートとの間の空隙により形成されている、前記〔１〕に記載の中空糸膜型医療用具。
〔３〕
前記連通路が、前記栓体の貫通孔により形成されている前記〔１〕に記載の中空糸膜型医療用具。
〔４〕
前記連通路が、前記栓体と前記ノズルとの間の空隙、及び／又は前記栓体と前記ポートとの間の空隙、並びに前記栓体の貫通孔により形成されている前記〔１〕に記載の中空糸膜型医療用具。
〔５〕
絶縁性材料で成型された内空部を有する容器と、
前記内空部に装填された濾材と、
前記内空部を形成する容器壁面部に設けられ、前記容器内に流体を流入させる入口部と、
前記内空部を形成する容器壁面部に設けられ、前記容器外に流体を流出させる出口部と、
を具備し、
前記入口部及び出口部に、着脱自在に取り付けられている栓体を具備し、
前記栓体は、前記入口部及び／又は出口部との間に空隙を有しているか、当該栓体に貫通孔が形成されているか、少なくともいずれかの構成を有しており、前記空隙及び／又は貫通孔により、前記容器の内空部と外部とが連通しており、
包装袋に収納された状態で電子線照射による滅菌処理が施されている医療用具。
【発明の効果】
【００１１】
本発明によれば、電子線照射滅菌処理工程における絶縁破壊の発生を効果的に防止でき、信頼性の高い医療用具、特に中空糸膜型医療用具を提供できる。
【図面の簡単な説明】
【００１２】
【図１】本実施形態の中空糸膜型医療用具の一例の部分断面模式図を示す。
【図２】ノズル用栓体の一例の斜視図を示す。
【図３】（ａ）ノズル用栓体の側面方向側からの断面図を示す。（ｂ）ノズル用栓体の下面図を示す。
【図４】ノズル用栓体をノズルに取り付けた状態の断面図を示す。
【図５】ポート用栓体の斜視図を示す。
【図６】（ａ）ポート用栓体の側面方向側からの断面図を示す。（ｂ）ポート用栓体の下面図を示す。
【図７】ポート用栓体をポートに取り付けた状態の断面図を示す。
【図８】ノズル・ポート両用栓体の一例の斜視図を示す。
【図９】（ａ）ノズル・ポート両用栓体の側面方向側からの断面図を示す。（ｂ）ノズル・ポート両用栓体の下面図を示す。
【図１０】図８のノズル・ポート両用栓体をノズルに取り付けた状態の断面図を示す。
【図１１】図８のノズル・ポート両用栓体をポートに取り付けた状態の断面図を示す。
【図１２】ノズル・ポート両用栓体の他の一例の斜視図を示す。
【図１３】図１２のノズル・ポート両用栓体をノズルに取り付けた状態の断面図を示す。
【図１４】図１２のノズル・ポート両用栓体をポートに取り付けた状態の断面図を示す。
【図１５】ノズル・ポート両用栓体の他の一例の斜視図を示す。
【図１６】図１５のノズル・ポート両用栓体をノズルに取り付けた状態の断面図を示す。
【図１７】図１５のノズル・ポート両用栓体をポートに取り付けた状態の断面図を示す。
【発明を実施するための形態】
【００１３】
以下、本発明を実施するための形態（以下、「本実施形態」と言う。）について、図を参照して説明する。
なお、本発明は以下の記載に限定されるものではなく、その要旨の範囲内で種々変形して実施できる。
図面中、同一の要素には同一の符号を付し、重複する説明を省略する場合がある。また、上下左右等の位置関係は、特に断らない限り、図面に示す位置関係に基づくものとし、さらに図面の寸法比率は、図示の比率に限定されるものではない。
さらに、本明細書において、「略」を付した用語は、当業者の技術常識の範囲内でその「略」を除いた用語の意味を示すものであり、「略」を除いた意味自体をも含むものとする。
【００１４】
〔医療用具〕
本実施形態の医療用具は、絶縁性材料で成型された内空部を有する容器と、前記内空部に装填された濾材とを具備している。
また、前記容器の壁面部には、前記容器内に流体を流入させる入口部と、前記容器外に流体を流出させる出口部とを具備している。
前記入口部及び出口部には、それぞれ所定の栓体が着脱自在に取り付けられている。
前記栓体は、前記入口部及び／又は出口部との間に空隙を有しているか、当該栓体に貫通孔が形成されているか、少なくともいずれかの構成を有しており、前記空隙及び／又は貫通孔により、前記容器の内部と外部とが連通している。
さらに、本実施形態の医療用具は包装袋に収納された状態で、当該包装袋の外部から電子線照射を行うことによって滅菌処理が施されている。
【００１５】
上述した本実施形態の医療用具は、その代表的な実施形態として、中空糸膜型医療用具が挙げられる。
中空糸膜型医療用具は、筒状容器と、当該筒状容器の長手方向に沿って装填され、両端部が前記筒状容器の両端部ポッティング樹脂により固定されている、前記濾材に相当する中空糸膜の束を有している。
また、中空糸膜型医療用具は、前記筒状容器の両端部に、流体の出入口となるノズルを有するヘッダーを具備しており、前記筒状容器の側面部に、流体の出入口となるポートを具備している。
前記ノズル及び前記ポートには、それぞれ所定の栓体が着脱自在に取り付けられている。
さらに、中空糸膜医療用具は、前記中空糸膜の内表面と前記ヘッダーの内表面との間に第１の空間を、前記中空糸膜の外表面と前記筒状容器の内表面との間に第２の空間を、それぞれ有しており、前記第１の空間と筒状容器の外部との間、及び／又は、前記第２の空間と筒状容器の外部との間に、それぞれ栓体を介する連通路が形成されている。
さらにまた、本実施形態の中空糸膜型医療用具は、包装袋に収納された状態で、当該包装袋の外部からの電子線照射を行うことによって滅菌処理が施されている。
【００１６】
下記においては、主として本実施形態の医療用具の好適な形態である中空糸膜型医療用具について図を参照して説明するが、本実施形態の医療用具は、下記の例に限定されるものではなく、絶縁性材料で成型された内空部を有する容器に所定の濾材が装填され、容器壁面部に所定の入口部と出口部を具備し、当該入口部と出口部に、着脱自在に取り付けられる栓体を有する構成の医療用具であればよく、中空糸膜型医療用具に限定されるものではない。
【００１７】
〔医療用具のタイプ〕
一般的に中空糸膜型医療用具に代表される各種医療用具は、濾材の内部例えば中空糸膜の中空内部や、容器との隙間が水性媒体で満たされたウェットタイプと、水性媒体で満たされていない非ウェットタイプとに大別される。
前記非ウェットタイプは、さらに、濾材、例えば中空糸膜の含水率が数パーセント程度に低いドライタイプと、濾材例えば中空糸膜が水分や保湿剤等によって適度に湿潤化されているセミドライタイプ（ハーフウェットタイプと称されることもある。）に区分されることがある。本実施形態の医療用具は、いずれのタイプも含むものとする。
【００１８】
本実施形態の医療用具がウェットタイプである場合、水性媒体としては、純水や溶媒に抗酸化剤や緩衝液を混合させたものが一般的に使用できる。
前記抗酸化剤としては、例えば、ピロ亜硫酸ナトリウム、アセトンソジウムバイサルファイト、ソジウムホルムアルデヒドスルホキシレート、ソジウムハイドロサルファイト、１−アスコルビン酸等が挙げられ、前記緩衝液としては、例えば、リン酸緩衝液、トリスヒドロキシメチルアミノメタン緩衝液、酢酸緩衝液、クエン酸緩衝液及びホウ酸緩衝液等が挙げられるが、特にこれらに限定するものではない。
また、前記溶媒としては、例えば、メタノール、エタノール、グリセリン、プロピレングリコール、イソプロパノール等が挙げられるが、特にこれらに限定するものではない。
本実施形態の医療用具がセミドライタイプである場合、保湿剤としては、親水性高分子の劣化保護機能を有しつつ適度な粘性を帯びて膜表面に保持されやすく、疎水性高分子や親水性高分子とは強固な化学結合を形成せず、しかも生理的水溶液により洗浄されやすいという要件を同時に満たす材料が好ましく使用できる。例えば、グリセリン、マンニトール、グリコール類（例えば、エチレングリコール、ジエチレングリコール、プロピレングリコール、テトラエチレングリコール）、ポリグリコール類（例えば、ポリエチレングリコール）等の多価アルコール類等が挙げられる。特に、血液浄化用中空糸膜の孔径保持剤や表面改質剤として実績がある点で、グリセリン又はポリエチレングリコールの水溶液がより好ましく、グリセリン水溶液が特に好ましいが、特にこれらに限定するものではない。
【００１９】
〔中空糸膜型医療用具〕
図１は、本実施形態の中空糸膜型医療用具の一例の部分断面模式図を示す。
図１中、中央に示す一点鎖線Ａの右側部分は、中空糸膜型医療用具の概略断面図を示し、一点鎖線Ａの左側部分は、中空糸膜型医療用具の概略側面図を示す。
中空糸膜型医療用具１は、筒状容器９の長手方向に沿って、濾材である中空糸膜３の束が装填されている。
中空糸膜３の束の両端部はポッティング樹脂８により筒状容器９の両端部に固定されている。
前記ポッティング樹脂８により固定された中空糸膜３の両端部では、当該中空糸膜３の内側が開口されており、当該開口部と対向して、流体の出入口となるノズル４、５を具備するヘッダー２、２'が設けられている。
筒状容器９の側壁面には、流体の出入口となるポート６、７が設けられている。
前記ノズル４、５及びポート６、７には、それぞれ、後述する所定の栓体が着脱自在に取り付けられている。
中空糸膜３の内側とヘッダー２、２'の内表面との間には第１の空間１１、中空糸膜３の外側と筒状容器９の内表面との間には第２の空間１２が、それぞれ形成されている。
中空糸膜型医療用具１は、包装袋１０により収納、密閉された状態で電子線照射による滅菌処理が施されており、保管や運搬の際に滅菌状態が保持されている。
なお、本明細書において、中空糸膜型医療用具１を収納している包装袋１０の内部を、「筒状容器の外部１０ａ」と称し、包装袋の外部を「包装袋の外部１０ｂ」と称する。
以下、本実施形態の医療用具の構成について、中空糸膜型医療用具を例として詳細に説明する。
【００２０】
（筒状容器）
筒状容器９は絶縁性材料で成型されており、濾材である中空糸膜３を収容する内空部を有している。筒状容器９の形状、寸法に関しては特に限定されるものではなく、従来公知のものをいずれも適用できる。
前記絶縁性材質としては、従来公知の材料を適用でき、例えば、ポリプロピレン樹脂、ポリスチレン樹脂、ポリメチルメタクリレート樹脂、ポリエチレンテレフタレート樹脂、ナイロン６樹脂、ポリスルホン樹脂、ポリアクリロニトリル樹脂、ポリカーボネート樹脂、ＡＢＳ樹脂、スチレン・ブタジエン共重合体樹脂等が挙げられる。
特に、ポリプロピレン樹脂、ポリスチレン樹脂、ポリアクリロニトリル樹脂、スチレン・ブタジエン共重合体樹脂が安価であり、医療用部材の分野での汎用性が高く、高い安全性が確認されているので好ましく、スチレン・ブタジエン共重合体樹脂がより好ましいが、これらに限定するものではない。
【００２１】
（濾材：中空糸膜）
中空糸膜３は、処理液の成分分離（濾過や吸着等）を行う機能を有する濾材であり、形状、寸法、分画特性に関しては特に限定されるものではなく、使用目的に照らして適宜選択できる。
中空糸膜３の材質としては、電子線滅菌が可能な従来公知の材料をいずれも適用できる。例えば、セルロース系高分子、ポリスルホン系高分子、ポリアクリロニトリル系高分子、ポリメチルメタクリレート系高分子、エチレンビニルアルコール共重合体を含むポリビニル系高分子、ポリアミド系高分子、ポリエステル系高分子、ポリオレフィン系高分子等が挙げられるが、これらに限定されるものではない。
特に、ポリスルホン系高分子は、芳香族化合物であることから放射線耐性に特に優れており、また、熱や化学的処理にも非常に強く、安全性にも優れている材料であるため好適である。
【００２２】
中空糸膜３は、従来公知の技術により製造できる。例えば、上述した樹脂材料を所定の溶媒に溶解し紡糸原液を調製し、この紡糸原液を紡糸することにより製造できる。
なお、中空糸膜３の基材として疎水性高分子を使用する場合は、親水性高分子をさらに使用し、両者の共通溶媒を用いてブレンドして紡糸原液を調製し、この紡糸原液を製膜することにより中空糸膜３に親水性を付与することが一般的である。
前記親水性高分子としては、例えば、ポリビニルピロリドン（ＰＶＰ）、ポリエチレングリコール、ポリビニルアルコール、ポリプロピレングリコール等が挙げられる。特にポリビニルピロリドンが親水化の効果や安全性の面より好ましいが、特にこれらに限定するものではない。
前記疎水性高分子と親水性高分子の共通溶媒としては、用いる高分子に応じて適宜選択することができるが、例えば、親水性高分子がＰＶＰである場合、ジメチルアセトアミド（以下、ＤＭＡＣと称する。）、ジメチルスルホキシド、Ｎ−メチル−２−ピロリドン、ジメチルホルムアミド、スルホラン、ジオキサン等の溶媒、あるいはこれらを２種類以上混合した溶媒等が挙げられる。
目的とする中空糸膜３の孔径制御のため、前記紡糸原液には水等の所定の添加物を加えてもよい。
【００２３】
中空糸膜３を製膜する方法としては、例えば、チューブインオリフィス型の紡糸口金を用い、紡糸口金のオリフィスから紡糸原液を、チューブから該紡糸原液を凝固させるための中空内液を吐出させるのと同時に空中に吐出させる方法が挙げられる。
前記中空内液としては、水、又は水を主体とした凝固液が使用でき、目的とする中空糸膜の透過性能に応じてその組成等を決定すればよい。一般的には、紡糸原液に使用した溶剤と水との混合溶液が好適に使用される。例えば０〜６５質量％のＤＭＡＣ水溶液等が用いられる。
前記のように中空内液とともに紡糸原液を吐出させた後、空走部を走行させ、紡糸口金下部に設置した水を主体とする凝固浴中へ導入し、浸漬して凝固を完了させる。
その後、洗浄工程等を経て、湿潤状態の中空糸膜巻き取り機で巻き取り、中空糸膜の束を得、乾燥処理を行う。あるいは、前記洗浄工程を経た後に乾燥機内にて乾燥処理を行い、その後、中空糸膜を巻き取り、中空糸膜の束を得てもよい。
【００２４】
中空糸膜３の束は、図１に示すように、筒状容器９の長手方向に沿って装填され、筒状容器９の両端部に固定されている。例えば、中空糸膜３の束を筒状容器９へ挿入し、両端部にポッティング樹脂８を注入し、筒状容器９の長手方向中心を軸として遠心回転させることにより、両端部にポッティング樹脂８の層を形成して両端をシールすることにより固定することができる。
なお、中空糸膜３の束を固定した後、余分なポッティング樹脂を切断除去して、中空糸膜３の端面において内部を開口させ、さらにその上から流体の出入口を持つヘッダー２、２'を取り付けることにより、中空糸膜３の束が筒状容器９に充填される。
これにより、中空糸膜３の内側とヘッダー２、２’内表面との間には第１の空間１１が形成され、中空糸膜３の外側と筒状容器９の内表面との間には第２の空間１２が形成される。
【００２５】
（ポッティング樹脂）
ポッティング樹脂８は、中空糸膜３の束を両端部においてシールする機能を有している。
ポッティング樹脂８としては、例えば、ポリウレタン樹脂、エポキシ樹脂、シリコン樹脂等を使用できるが、これらに限定されるものではない。
【００２６】
（ヘッダー）
ヘッダー２、２'は、それぞれ中空糸膜３の端面に対向しており、かつ前記筒状容器９の両端部に設けられている。
ヘッダー２、２'の材料としては、筒状容器９の材料と同様の材料を適用でき、例えば、ポリプロピレン樹脂、ポリスチレン樹脂、ポリメチルメタクリレート樹脂、ポリエチレンテレフタレート樹脂、ナイロン６樹脂、ポリスルホン樹脂、ポリアクリロニトリル樹脂、ポリカーボネート樹脂、ＡＢＳ樹脂、スチレン・ブタジエン共重合体樹脂等が挙げられる。
特に、ポリプロピレン樹脂、ポリスチレン樹脂、ポリアクリロニトリル樹脂、スチレン・ブタジエン共重合体樹脂は、樹脂コストが安価であり、医療用部材の分野での汎用性が高く、高い安全性が確認されているので好ましく、スチレン・ブタジエン共重合体樹脂がより好ましいが、特にこれらに限定するものではない。
【００２７】
（ヘッダーのノズル）
ヘッダー２、２'はそれぞれノズル４、５を具備しており、当該ノズル４、５は、筒状容器９内に所定の流体を流入させ、及び／又は、筒状容器９内から所定の流体を流出させる入口部及び／又は出口部としての役割を有している。
なお、本明細書及び説明に用いる図面においては、ノズル４、５を代表して符号４により示すことがある。
ノズル４は、筒状容器９の内部と連通する内環部４ａと、後述する栓体を取り付ける外環部４ｂとを具備している。
具体的には、ＪＩＳ  Ｔ  ３２５０：２００５（血液透析器、血液透析ろ（濾）過器、血液ろ（濾）過器及び血液濃縮器）の４．４．３（血液透析器、血液透析ろ（濾）過器及び血液ろ（濾）過器の血液側接続部分）に記載の構造を適用できる。
【００２８】
（ポート）
ポート６、７は、それぞれ、筒状容器９内に所定の流体を流入、及び／又は、筒状容器９内から流体を流出させる入口部及び／又は出口部である。
なお、本明細書及び説明に用いる図面においては、ポート６、７を代表して符号６により示すことがある。
ポート６は、筒状容器９の内部と連通する中空部を有する管状構造となっている。
具体的には、ＪＩＳ  Ｔ  ３２５０：２００５（血液透析器、血液透析ろ（濾）過器、血液ろ（濾）過器及び血液濃縮器）の４．４．４（血液透析器及び血液透析ろ（濾）過器の透析液側接続部分）に記載の構造を適用できる。
【００２９】
（栓体）
以下、上述したノズル４、５、ポート６、７に着脱自在に取り付けられる栓体について説明する。以下、第１の形態〜第６の形態の栓体について、順次説明する。
【００３０】
＜第１の形態＞
第１の形態の栓体は、ノズル４、５に取り付けるノズル用栓体である。
図２にノズル用栓体２０の一例の斜視図を示し、図３にノズル用栓体２０の一例の断面図及び下面図を示す。
図３（ａ）は、図３（ｂ）中の一点鎖線Ｌの位置で切断したときの断面図であり、図３（ｂ）はノズル取り付け側から見た下面図を示す。図４に、図２に示すノズル用栓体２０をノズル４に取り付けた状態の断面図を示す。
【００３１】
ノズル用栓体２０は、ノズル４に取り付けた状態でノズルの内環部４ａの外壁面に対向する小環部２０ａと、ノズルの外環部４ｂの外壁面に対向する大環部２０ｂとを具備しており、またノズルの開口部に対向する天板部２０ｃを具備している。
ノズル用栓体２０は、天板部２０ｃの内面側の周端部分、すなわち天板部２０ｃと大環部２０ｂとの境界部分に、所定の高さのリブ２０ｄを有している。
リブ２０ｄは、図３（ａ）に示すように、天板部２０ｃ近傍の頂頭部２０ｄ1と、大環部２０ｂに沿った脚部２０ｄ2とを具備しており、脚部２０ｄ2から頂頭部２０ｄ1にかけて段差が形成された略Ｌ字状となっている。
なお、リブ２０ｄの脚部２０ｄ2の下端部は図示のようにテーパー状となっていてもよいが、これに限定されるものではない。
リブ２０ｄは、図３（ｂ）に示すように、ノズル用栓体２０の下面方向から見たときの円環方向を基準として不連続で設けられており、設置個数は任意に選択することができ、実用上、３個〜１２個の範囲で設けることが好ましい。例えば、図３（ｂ）に示す例においては、θ＝７２°の間隔で５箇所に設けられているが、この例に限定されるものではない。
【００３２】
図４に示すように、リブ２０ｄが設けられている位置においては、ノズル４の外環部４ｂの先端部とリブ２０ｄの頂頭部２０ｄ1とが突き当たり、さらにはリブ２０ｄの脚部２０ｄ2がノズル４の外壁部に接するため、リブ２０ｄが設けられていない位置においては、当該リブ２０ｄの頂頭部２０ｄ1の高さ分、ノズル用栓体２０とノズル４の外環部４ｂの先端部との間に空隙が形成され、これにより図４中の破線に示すように、図１に示した第１の空間１１と筒状容器９の外部１０ａすなわちノズル用栓体２０の外部との間を連通する連通路２０ｒが形成される。
【００３３】
＜第２の形態＞
第２の形態の栓体は、ポート６、７に取り付ける栓体である。
図５にポート用栓体３０の一例の斜視図を示し、図６にポート用栓体３０の一例の断面図及び下面図を示す。
図６（ａ）は、図６（ｂ）中の一点鎖線Ｌの位置で切断したときのポート用栓体の側面側からの断面図であり、図６（ｂ）はポート取り付け側から見た下面図を示す。図７に、図５に示すポート用栓体３０をポート６に取り付けた状態の断面図を示す。
【００３４】
ポート用栓体３０は、図７に示すように、ポート６に取り付けた状態で、ポート６の外壁面に対向する側壁部３０ｗと、ポートの開口部に対向する天板部３０ｃを具備している。
ポート用栓体３０は、天板部３０ｃの内面側の周端部分、すなわち天板部３０ｃと側壁部３０ｗとの境界部分に所定の高さのリブ３０ｄを有している。
リブ３０ｄは、図７に示すように、天板部３０ｃ近傍の頂頭部３０ｄ1と、側壁部３０ｗに沿った脚部３０ｄ2とを具備しており、脚部３０ｄ2から頂頭部３０ｄ1にかけて段差が形成された略Ｌ字状となっている。
なお、リブの脚部３０ｄ2の下端部は図示のようにテーパー状となっていてもよいが、これに限定されるものではない。
リブ３０ｄは、図６（ｂ）に示すように、ポート用栓体３０の下面方向から見たときの円環方向を基準として不連続で設けられており、設置個数は任意に選択することができ、実用上、３個〜１２個の範囲で設けることが好ましい。例えば、図６（ｂ）に示す例においては、θ＝１２０°の間隔で３箇所に設けられているが、この例に限定されるものではない。
【００３５】
図７に示すように、リブ３０ｄが設けられている位置においては、ポート６の先端部とリブの頂頭部３０ｄ1とが突き当たり、さらにはリブの脚部３０ｄ2がポート６の側壁部３０ｗに接するため、リブ３０ｄが設けられていない位置においては、当該リブ３０ｄの頂頭部の高さ分、ポート用栓体３０とポート６の先端部との間に空隙が形成され、これにより図７中の破線に示すように、図１に示した第２の空間１２と筒状容器９の外部１０ａすなわちポート用栓体３０の外部との間を連通する連通路３０ｒが形成される。
【００３６】
＜第３の形態＞
第３の形態の栓体は、ノズル４、５、ポート６、７の両方の用途に使用できる栓体（以下、ノズル・ポート両用栓体と言う）である。
図８にノズル・ポート両用栓体４０の一例の斜視図を示し、図９にノズル・ポート両用栓体の一例の断面図及び下面図を示す。
なお、図９（ａ）は、図９（ｂ）中の一点鎖線Ｌの位置で切断したときのノズル・ポート両用栓体の側面側からの断面図であり、図９（ｂ）はノズル又はポート取り付け側から見た下面図を示す。
図１０に、ノズル・ポート両用栓体４０をノズル４に取り付けた状態の断面図を示す。
図１１に、ノズル・ポート両用栓体４０をポート６に取り付けた状態の断面図を示す。
【００３７】
ノズル・ポート用栓体４０は、図１０に示すように、ノズル４に取り付けた状態で、ノズルの内環部４ａの外壁面に対向する小環部４０ａと、ノズルの外環部４ｂの外壁面に対向する大環部４０ｂとを具備しており、またノズルの開口部に対向する天板部４０ｃを具備している。
ノズル・ポート用栓体４０は、前記小環部４０ｄの内壁部及び外壁部に、それぞれ所定の高さのリブ４０ｅ、４０ｆを有している（以下、それぞれ内側リブ４０ｅ、外側リブ４０ｆと言う場合もある。）。
内側リブ４０ｅは、図１０に示すように、天板部４０ｃ近傍の頂頭部４０ｅ1と、小環部４０ａに沿った脚部４０ｅ2を具備している。
外側リブ４０ｆは、天板部４０ｃ近傍の頂頭部４０ｆ1と、小環部４０ａに沿った脚部４０ｆ2とを具備している。
内側リブ４０ｅ及び外側リブ４０ｆは、それぞれ脚部から頂頭部にかけて段差が形成された略Ｌ字状となっている。
なお、内側リブ４０ｅ及び外側リブ４０ｆの脚部の下端部は図示のようにテーパー状となっていてもよいが、これに限定されるものではない。
内側リブ４０ｅ、外側リブ４０ｆは、図９（ｂ）に示すように、ノズル・ポート用栓体４０の下面方向から見たときの円環方向を基準として不連続で設けられており、設置個数は任意に選択することができ、実用上、３個〜１２個の範囲で設けることが好ましい。例えば、図９（ｂ）に示す例においては、θ＝１２０°の間隔で３箇所に設けられているが、この例に限定されるものではない。
【００３８】
図１０に示すように、内側リブ４０ｅが設けられている位置においては、ノズル４の内環部４ａの先端部と内側リブの頂頭部４０ｅ1とが突き当たり、さらには内側リブの脚部４０ｅ2がノズル４の内環部４ａの外壁部に接するため、内側リブ４０ｅが設けられていない位置においては、当該内側リブ４０ｅの頂頭部の高さ分、栓体４０とノズル４の内環部４ａの先端部との間に空隙が形成され、これにより、図１０中の破線に示すように、図１に示した第１の空間１１と筒状容器９の外部１０ａすなわち栓体４０の外部との間を連通する連通路４０ｒが形成される。
【００３９】
図１１に示すように、外側リブ４０ｆが設けられている位置においては、ポート６の先端部と外側リブの頂頭部４０ｆ1とが突き当たり、さらには外側リブの脚部４０ｆ2がポート６の内壁部に接するため、外側リブ４０ｆが設けられていない位置においては、当該外側リブ４０ｆの頂頭部の高さ分、栓体４０とポート６の先端部との間に空隙が形成され、これにより、図１１中の破線に示すように、図１に示した第２の空間１２と筒状容器９の外部１０ａすなわち栓体４０の外部との間を連通する連通路４０ｒが形成される。
【００４０】
＜第４の形態＞
第４の形態の栓体は、ノズル４、５、ポート６、７の両方の用途に使用できる栓体（ノズル・ポート両用栓体）である。
図１２にノズル・ポート両用栓体５０の一例の斜視図を示し、図１３にノズル・ポート両用栓体５０をノズル４に取り付けた状態の断面図を示す。
図１４に、ノズル・ポート両用栓体５０をポート６に取り付けた状態の断面図を示す。
【００４１】
図１３に示すように、ノズル・ポート用栓体５０は、ノズル４に取り付けた状態でノズルの内環部４ａの外壁面に対向する小環部５０ａと、ノズルの外環部４ｂの外壁面に対向する大環部５０ｂとを具備しており、またノズルの開口部に対向する天板部５０ｃを具備しており、天板部５０ｃには、貫通孔５０ｈが形成されている。
天板部５０ｃに形成されている貫通孔５０ｈにより、図１３中の破線に示すように、図１に示した第１の空間１１と筒状容器９の外部１０ａすなわち栓体５０の外部との間を連通する連通路５０ｒが形成される。
【００４２】
図１４に示すように、ノズル・ポート用栓体５０をポート６に取り付けると、ポート６の内壁面と栓体５０の小環部５０ａとが全周に亘り密着するが、天板部５０ｃに形成されている貫通孔５０ｈにより、図１４中の破線に示すように、図１に示した第２の空間１２と筒状容器９の外部１０ａすなわち栓体５０の外部との間を連通する連通路５０ｒが形成される。
【００４３】
＜第５の形態＞
第５の形態の栓体は、ノズル４、５、ポート６、７の両方の用途に使用できる栓体（ノズル・ポート両用栓体）である。
図１５にノズル・ポート両用栓体６０の一例の斜視図を示し、図１６にノズル・ポート両用栓体６０をノズル４に取り付けた状態の断面図を示す。
図１７に、ノズル・ポート両用栓体６０をポート６に取り付けた状態の断面図を示す。
【００４４】
ノズル・ポート用栓体６０は、ノズル４に取り付けた状態で、ノズルの内環部４ａの外壁面に対向する小環部６０ａと、ノズルの外環部４ｂの外壁面に対向する大環部６０ｂとを具備しており、またノズルの開口部に対向する天板部６０ｃを具備している。
ノズル・ポート用栓体６０は、大環部６０ｂの内壁部にリブ６０ｄを有している。
リブ６０ｄは、図１６、図１７に示すように、天板部６０ｃ近傍の頂頭部６０ｄ1と、大環部６０ｂに沿った脚部６０ｄ2とを具備しており、脚部から頂頭部にかけて段差が形成された略Ｌ字状となっている。
なお、リブの脚部６０ｄ2の下端部は図示のようにテーパー状となっていてもよいが、これに限定されるものではない。
リブ６０ｄは、図１５に示すように、栓体６０の下面方向から見たときの円環方向を基準として不連続で設けられており、設置個数は任意に選択することができ、実用上、３個〜１２個の範囲で設けることが好ましい。例えば、図１５に示す例においては、θ＝７２°の間隔で５箇所に設けられているが、この例に限定されるものではない。
【００４５】
ノズル・ポート用栓体６０をノズル４に取り付けた場合、図１６に示すように、リブ６０ｄが設けられている位置においては、ノズル４の外環部４ｂの先端部とリブの頂頭部６０ｄ1とが突き当たり、さらにはリブの脚部６０ｄ2がノズル４の外環部４ｂの外壁部に接するため、リブ６０ｄが設けられていない位置においては、当該リブ６０ｄの頂頭部の高さ分、栓体６０とノズル４の外環部４ｂの先端部との間に空隙が形成され、これにより図１６中の破線に示すように、図１に示した第１の空間１１と筒状容器９の外部１０ａすなわち栓体６０の外部との間を連通する連通路６０ｒが形成される。
【００４６】
また、図１５に示すように、栓体６０は天板部６０ｃに貫通孔６０ｈを具備しているため、図１６中の一点鎖線に示すように、図１に示した第１の空間１１と筒状容器９の外部１０ａすなわち栓体６０の外部との間を連通する連通路６０ｓが形成される。
【００４７】
ノズル・ポート用栓体６０をポート６０に取り付けた場合、図１７に示すように、ポート６の内壁面と栓体６０の小環部６０ａとが全周に亘り密着するが、天板部６０ｃに形成されている貫通孔６０ｈにより、図１７中の一点鎖線に示すように、図１に示した第２の空間１２と筒状容器９の外部１０ａすなわち栓体６０の外部との間を連通する連通路６０ｓが形成される。
【００４８】
＜第６の形態＞
第６の形態の栓体は、ノズル４、５及び／又はポート６、７に使用できる密栓である。
本実施形態の医療用具においては、ノズル４、５、ポート６、７のいずれかにおいて連通路が形成されていればよいため、連通路を形成しない密栓も使用可能である。
【００４９】
（栓体の製造方法）
上記に亘り説明した各種栓体は、従来公知の方法により作製できる。
栓体の材質としては、例えば、ポリエチレン樹脂、ポリプロピレン樹脂、ポリカーボネート樹脂、ポリスチレン樹脂、ポリアミド樹脂、ポリアセタール樹脂、シリコン樹脂等が挙げられるが、これらに限定されるものではない。特に、ポリエチレン樹脂、ポリプロピレン樹脂は、適度な硬さに基づく密着性や施栓性があるため、既に汎用されており好ましい。
栓体は、上述した各種形態に応じた型を用いて射出成形法によって製造できる。
【００５０】
（栓体の組み合わせ）
上述したように、本実施形態の中空糸膜医療用具においては、前記第１の空間１１と筒状容器９の外部との間、及び／又は、前記第２の空間１２と筒状容器９の外部との間に、それぞれ栓体を介し、所定の連通路が形成されている。すなわち上記栓体のうちのいずれか一以上において、筒状容器９の外部との間に連通路が形成されていればよい。
具体的には、（ノズル用栓体、ポート用栓体）が、（密栓、ポートとの間に空隙を有する栓体）、（密栓、貫通孔を有する栓体）、（密栓、ポートとの間に空隙を有しかつ貫通孔を有する栓体）、（ノズルとの間に空隙を有する栓体、密栓）、（貫通孔を有する栓体、密栓）、（ノズルとの間に空隙及び貫通孔を有する栓体、密栓）、（ノズルとの間に空隙を有する栓体、ポートとの間に空隙を有する栓体）、（貫通孔を有する栓体、貫通孔を有する栓体）、（ノズルとの間に空隙及び貫通孔を有する栓体、ポートとの間に空隙及び貫通孔を有する栓体）の組み合わせが挙げられる。
なお、ノズル、ポートが、それぞれ複数ある場合、それらのうちのいずれかにおいて、栓体を介して筒状容器の外部１０ａとの間に連通路が形成されていればよい。
【００５１】
さらに、中空糸膜型医療用具に限定されず、広義の医療用具、すなわち内空部を有する容器と濾材とを具備する医療用具においては、流体の入口部と出口部に取り付けられる栓体のうちの、少なくともいずれかにおいて、容器の内部と、容器の外部との間に、連通路が形成されていればよい。すなわち、栓体と前記入口部及び／又は出口部との間に空隙を有しているか、当該栓体に貫通孔が形成されているか、少なくともいずれかの構成を有しており、前記空隙及び／又は貫通孔により、前記容器の内空部と外部とが連通していればよい。
【００５２】
（包装袋）
本実施形態の医療用具、例えば中空糸膜型医療用具は、後述する電子線照射による滅菌処理を、図１に示すように、所定の包装袋１０に収納された状態で、包装袋１０の外部から電子線を照射することにより施されているものとする。
滅菌処理する際に用いる包装袋１０の材質は、例えば、ポリ塩化ビニリデン製フィルム、ポリビニルアルコール製フィルム、二軸延伸ポリビニルアルコール製フィルム、ポリ塩化ビニリデンコート二軸延伸ポリアルコール製フィルム、ナイロン／アルミニウム／ポリエチレンのラミネートシート、ポリエステル／アルミニウム／ポリエチレンのラミネートシート、アルミ箔、ナイロン／ポリエチレン二層構造フィルム等が挙げられる。
包装袋１０は、上述したように、各種材質のフィルム、シートが適用できるが、絶縁性の材料により構成されている場合、包装袋１０の外部から電子線を照射して滅菌処理を行うと、包装袋１０に電荷が蓄積し、絶縁破壊が発生するおそれがある。そこで、包装袋１０として、導電性材料を含有している材料を用いることが好ましい。これにより、電子線の照射により包装袋１０に蓄積した電荷を、図１中に示した包装袋の外部１０ｂに放散させ、包装袋１０の絶縁破壊の発生を防止でき、さらには、滅菌対象である医療用具、例えば中空糸膜型医療用具の内部に蓄積した電荷を、包装袋の外部１０ｂに放散させやすくなる。
このような導電性の材料を含有する包装袋１０としては、上述したフィルム又はシートの表面に帯電防止剤や、導電性の高分子材料をコーティングしたものや、帯電防止剤や導電性の材料をブレンドした材料で成形した前記フィルム又はシートのほか、ナイロン／アルミニウム／ポリエチレンのラミネートフィルム又はシート、ポリエステル／アルミニウム／ポリエチレンのラミネートフィルム又はシート、アルミニウム箔、アルミニウム蒸着膜等の金属箔、金属蒸着膜、あるいはそのラミネート製品等を積層したフィルム等が挙げられる。
特に、外層がナイロン、中間層がアルミニウム箔又はアルミニウム蒸着膜、内層がポリエチレンのラミネートフィルムや、これにポリエチレンやポリエステルを外層、中間層、内層として組み合わせたラミネートシートからなる包装袋が好ましい。
【００５３】
（電子線照射による滅菌処理）
本実施形態の中空糸膜型医療用具は、電子線の照射によって滅菌されているものとする。
電子線の照射線量は、５〜６０ｋＧｙ（キログレイ）が好ましく、１５〜５０ｋＧｙがより好ましく、１５〜４５ｋＧｙがさらに好ましい。
本実施形態の中空糸膜型医療用具は、ヘッダー２、２'のノズル４、５、筒状容器９の側面のポート６、７には、それぞれ、ノズル用栓体２０、ポート用栓体３０が取り付けられ、かつ上述した包装袋１０により包装した状態で電子線照射による滅菌処理がなされている。
【００５４】
本実施形態の医療用具、例えば中空糸膜型医療用具においては、後述する電子線照射による滅菌処理を行う際に、本体内に蓄積された電荷が、栓体を介して形成されている連通路により本体外に放出され、これにより絶縁破壊が効果的に防止される。
なお、栓体のいずれかにおいて、筒状容器と外部空間との間を連通する連通路が形成されていればよいが、複数の栓体において連通路が形成されていることが好ましい。
すなわち、図１に示す構成の中空糸膜型医療用具においては、前記第１の空間１１と筒状容器９の外部空間１０ａとが、ノズル用栓体２０を介して連通しており、前記第２の空間１２と筒状容器の外部空間１０ａとが、前記ポート用栓体３０を介して連通していることが好ましい。これにより、中空糸膜型医療用具の本体内に溜まった電荷が、前記連通路を介して本体外の空間に放散され、絶縁破壊を防止できる。そしてこのような構成をとることにより、各種医療用具、例えば中空糸膜型医療用具の構成材料について特殊な材料、すなわち体積抵抗率の低い材料で構成する必要がなく、ノズル用栓体及び／又はポート用栓体の構成のみを変更すれば足り、全体としての強度を実用上十分なものに保持でき、溶出物の増加を防止でき、従来技術において問題となっていた絶縁破壊に関する課題を解決できる。
【００５５】
〔医療用具の利用分野〕
本実施形態の医療用具は、幅広く利用可能である。
例えば、血液透析器、血液透析濾過器、血液濾過器、持続血液透析濾過器、持続血液濾過器、血漿分離器、血漿成分分画器、血漿成分吸着器、ウイルス除去器、ウイルス吸着器、血液濃縮器、血漿濃縮器、腹水濾過器、腹水濃縮器等が挙げられ、中空糸膜の持つ、濾過特性、選択吸着特性（被吸着物質と相互作用をなすリガンドを中空糸膜に固定したものを含む）を利用した各種医療用具として適用できる。
【実施例】
【００５６】
以下、具体的な実施例と、これとの比較例を挙げて説明するが、本発明は、以下の実施例に限定されるものではない。
先ず、実施例に用いた各種測定方法について説明する。
【００５７】
〔中空糸膜型医療用具の絶縁破壊発生率の測定〕
（目視観察）
電子線照射により絶縁破壊が発生した場合の、中空糸膜型医療用具の絶縁破壊発生箇所について、黒く焦げた痕の有無を目視により確認した。
（水中陽圧試験）
中空糸膜型医療用具全体を水中に沈め、筒状容器の内部に空気を送り込んで１５０ｋＰａの圧力をかけて３０秒間保持することによって、絶縁破壊発生箇所からの気泡の発生を観察し、絶縁破壊の発生を確認した。
この水中陽圧試験は、図１に示す構成の中空糸膜型医療用具の第１の空間１１、第２の空間１２のそれぞれで行った。
上記（目視観察）、（水中陽圧試験）のいずれかの方法で、絶縁破壊の発生が確認された場合、その中空糸膜型医療用具は絶縁破壊が発生したものと判断し、作製した中空糸膜型医療用具の全数に対する絶縁破壊が発生した中空糸膜型医療用具の数の割合を百分率で示した。
【００５８】
〔実施例１〕
ポリスルホン（ソルベイ・アドバンスド・ポリマーズ社製、Ｐ−１７００）：１７質量部
ＰＶＰ（アイ・エス・ピー社製、Ｋ−９０）：４質量部
ジメチルアセトアミド（以下、ＤＭＡＣ）：７９質量部
からなる均一な紡糸原液を作製した。
中空内液にはＤＭＡＣの４２％水溶液を用い、前記紡糸原液とともに、紡糸口金から吐出させた。
その際、乾燥後の膜厚を３５μｍ、内径を１８５μｍに合わせるように、紡糸原液及び中空内液の吐出量を調整した。
吐出した紡糸原液を前記紡糸口金の位置から５０ｃｍ下方に設けた水よりなる６０℃の凝固浴に浸漬し、３０ｍ／分の速度で凝固工程、水洗工程を通過させた後に乾燥機に導入し、１６０℃で乾燥後、クリンプを付与したポリスルホン系中空糸膜を巻き取った。
次に、巻き取った１６０００本の中空糸膜の束を、中空糸膜の有効膜面積が２．５ｍ2となるように設計したスチレン−ブタジエン共重合体（旭化成ケミカル株式会社製、登録商標  アサフレックス）製の筒状容器に装填し、その両端部をウレタン樹脂（三洋化成工業株式会社製）で接着固定し、両端面を切断して中空糸膜の開口端を形成した。
開口端から濃度６３％のグリセリン（和光純薬工業（株）製  特級）水溶液を中空糸膜内に５秒間注入し、０．２ＭＰａのエアーで１０秒間フラッシュさせた後、両端部にスチレン−ブタジエン共重合体（旭化成ケミカル株式会社製、登録商標  アサフレックス）製のヘッダーキャップを取り付けた。
ノズルには、ポリエチレン（プライムポリマー社製、登録商標  ハイゼックス）製で、図２〜図４に示す形状の、ノズルとの間に空隙が形成され、かつ、天板部に貫通孔を有さない構造のノズル用栓体を被着した。
本体のポートには、ポリエチレン（プライムポリマー社製、登録商標  ハイゼックス）製で、図５〜図７に示す形状の、ポートとの間に空隙が形成され、かつ、天板部に貫通孔を有さない構造のポート用栓体を被着した。
その後、ポリエチレン：膜厚５０μｍ／ナイロン：膜厚２５μｍの二層構造の滅菌袋で包装し、１０ＭｅＶ電子線を線量が３５ｋＧｙになるように照射して、セミドライタイプの中空糸膜型医療用具とした。ここで、線量は、被照射物の近傍に張り付けた三酢酸セルロース線量計（富士フィルム社製、ＦＴＲ−１２５）を用いて測定した。
この中空糸膜型医療用具の絶縁破壊発生率と、包装袋の絶縁破壊発生率を、下記表１に示した。
【００５９】
〔実施例２〕
ノズルには、ポリエチレン（プライムポリマー社製、登録商標  ハイゼックス）製で、図８〜図１０に示す形状の、ノズルとの間に空隙が形成され、かつ天板部に貫通孔を有さない構造のノズル・ポート両用栓体を被着した。
本体のポートには、ポリエチレン（プライムポリマー社製、登録商標  ハイゼックス）製で、図８、図９、及び図１１に示す形状の、ポートとの間に空隙が形成され、かつ天板部に貫通孔を有さない構造のノズル・ポート両用栓体を被着した。
その他の条件は実施例１と同様とし、セミドライタイプの中空糸膜型医療用具を得た。
この中空糸膜型医療用具の絶縁破壊発生率と、包装袋の絶縁破壊発生率を、下記表１に示した。
【００６０】
〔実施例３〕
ノズルには、ポリエチレン（プライムポリマー社製、登録商標  ハイゼックス）製で、図１２及び図１３に示す形状の、ノズルとの間に空隙が形成されないが、天板部に貫通孔を有しているノズル・ポート両用栓体を被着した。
本体のポートには、ポリエチレン（プライムポリマー社製、登録商標  ハイゼックス）製で、図１２及び図１４に示す形状の、ポートとの間に空隙が形成されないが、天板部に貫通孔を有しているノズル・ポート両用栓体を被着した。
その他の条件は実施例１と同様とし、セミドライタイプの中空糸膜型医療用具を得た。
この中空糸膜型医療用具の絶縁破壊発生率と、包装袋の絶縁破壊発生率を、下記表１に示した。
【００６１】
〔実施例４〕
ノズルには、ポリエチレン（プライムポリマー社製、登録商標  ハイゼックス）製で、図１５及び図１６に示す形状の、ノズルとの間に空隙が形成され、かつ天板部に貫通孔を有しているノズル・ポート両用栓体を被着した。
本体のポートには、ポリエチレン（プライムポリマー社製、登録商標  ハイゼックス）製で、図１５及び図１７に示す形状の、ポートとの間に空隙が形成されないが、天板部に貫通孔を有しているノズル・ポート両用栓体を被着した。
その他の条件は実施例１と同様とし、セミドライタイプの中空糸膜型医療用具を得た。
この中空糸膜型医療用具の絶縁破壊発生率と、包装袋の絶縁破壊発生率を、下記表１に示した。
【００６２】
〔実施例５〕
ノズルには、ポリエチレン（プライムポリマー社製、登録商標  ハイゼックス）製で、ノズルとの間に空隙が形成されず、かつ天板部に貫通孔を有していない密栓を被着した。
本体のポートには、ポリエチレン（プライムポリマー社製、登録商標  ハイゼックス）製で、図５〜図７に示す形状の、ポートとの間に空隙が形成され、かつ、天板部に貫通孔を有さない構造のポート用栓体を被着した。
その他の条件は実施例１と同様とし、セミドライタイプの中空糸膜型医療用具を得た。
この中空糸膜型医療用具の絶縁破壊発生率と、包装袋の絶縁破壊発生率を、下記表１に示した。
【００６３】
〔実施例６〕
線量が５７ｋＧｙになるように、電子線を照射した。
その他の条件は、実施例１と同様とし、セミドライタイプの中空糸膜型医療用具を得た。
この中空糸膜型医療用具の絶縁破壊発生率と、包装袋の絶縁破壊発生率を、下記表１に示した。
【００６４】
〔比較例１〕
ノズルには、ポリエチレン（プライムポリマー社製、登録商標  ハイゼックス）製で、ノズルとの間に空隙が形成されず、かつ天板部に貫通孔を有していない密栓を被着した。
本体のポートには、ポリエチレン（プライムポリマー社製、登録商標  ハイゼックス）製で、ノズルとの間に空隙が形成されず、かつ天板部に貫通孔を有していない密栓を被着した。
その他の条件は実施例１と同様とし、セミドライタイプの中空糸膜型医療用具を得た。
この中空糸膜型医療用具の絶縁破壊発生率と、包装袋の絶縁破壊発生率を、下記表１に示した。
【００６５】
〔比較例２〕
線量が５７ｋＧｙになるように、電子線を照射した。
その他の条件は、比較例１と同様とし、セミドライタイプの中空糸膜型医療用具を得た。
この中空糸膜型医療用具の絶縁破壊発生率と、包装袋の絶縁破壊発生率を、下記表１に示した。
【００６６】
【表１】
2013059498.tif 000003
【００６７】
表１に示すように、実施例１〜６の中空糸膜型医療用具においては、いずれも絶縁破壊の発生を効果的に防止することができた。
【産業上の利用可能性】
【００６８】
本発明の医療用具は、医療現場に於いて、血液透析、血液透析濾過、血液濾過、持続血液透析濾過、持続血液濾過、血漿交換、二重濾過血漿交換、ウイルス除去、血液濃縮、腹水濾過・濃縮、吸着等の各種医療用具として、産業上の利用可能性を有している。
【符号の説明】
【００６９】
１  中空糸膜型医療用具
２、２'ヘッダー
３  中空糸膜
４、５  ノズル
４ａ  ノズルの内環部
４ｂ  ノズルの外環部
６、７  ポート
８  ポッティング樹脂
９  筒状容器
１０  包装袋
１０ａ  筒状容器の外部
１０ｂ  包装袋の外部
１１  第１の空間
１２  第２の空間
２０  ノズル用栓体
２０ａ  ノズル用栓体の小環部
２０ｂ  ノズル用栓体の大環部
２０ｃ  ノズル用栓体の天板部
２０ｄ  リブ
２０ｄ1 頂頭部
２０ｄ2 脚部
２０ｒ  連通路
３０  ポート用栓体
３０ｗ  ポート用栓体の側壁部
３０ｃ  ポート用栓体の天板部
３０ｄ  リブ
３０ｄ1 頂頭部
３０ｄ2 脚部
３０ｒ  連通路
４０  ノズル・ポート両用栓体
４０ａ  ノズル・ポート両用栓体の小環部
４０ｂ  ノズル・ポート両用栓体の大環部
４０ｃ  ノズル・ポート両用栓体の天板部
４０ｅ  内側リブ
４０ｆ  外側リブ
４０ｅ1  内側リブの頂頭部
４０ｅ2  内側リブの脚部
４０ｆ1  外側リブの頂頭部
４０ｆ2  外側リブの脚部
４０ｒ  連通路
５０  ノズル・ポート両用栓体
５０ａ  ノズル・ポート両用栓体の小環部
５０ｂ  ノズル・ポート両用栓体の大環部
５０ｃ  ノズル・ポート両用栓体の天板部
５０ｈ  貫通孔
５０ｒ  連通路
６０  ノズル・ポート両用栓体
６０ａ  ノズル・ポート両用栓体の小環部
６０ｂ  ノズル・ポート両用栓体の大環部
６０ｃ  ノズル・ポート両用栓体の天板部
６０ｄ  リブ
６０ｄ1 頂頭部
６０ｄ2 脚部
６０ｒ  連通路
６０ｈ  貫通孔
６０ｓ  連通路
【図１】
2013059498.tif 000004
【図２】
2013059498.tif 000005
【図３】
2013059498.tif 000006
【図４】
2013059498.tif 000007
【図５】
2013059498.tif 000008
【図６】
2013059498.tif 000009
【図７】
2013059498.tif 000010
【図８】
2013059498.tif 000011
【図９】
2013059498.tif 000012
【図１０】
2013059498.tif 000013
【図１１】
2013059498.tif 000014
【図１２】
2013059498.tif 000015
【図１３】
2013059498.tif 000016
【図１４】
2013059498.tif 000017
【図１５】
2013059498.tif 000018
【図１６】
2013059498.tif 000019
【図１７】
2013059498.tif 000020